(57)【要約】      （修正有）【課題】環境によらず取り付け可能な組合式パネルモジュール、組合式パネルモジュールの固定座、及び組合式パネルモジュールのパネルを提供する。【解決手段】組合式パネルモジュールは、少なくとも二つの固定座１及び少なくとも一つのパネル２を備える。固定座の１つと、隣り合う固定座のもう１つが互いに組立隙間を隔てて相対し、取付基準面Ｐ１が定義される。パネルは、固定座の第二結合部１２と、隣り合う固定座の第一結合部１１のそれぞれに接続される。パネルは取付基準面Ｐ１へ向かう取付方向Ｗ１に沿って案内面２２２により案内されて固定座に取り付けられる。【選択図】図５
0003212980.tif 000002
【実用新案登録請求の範囲】
【請求項１】
固定座と、前記固定座と隙間を隔てて設けられるほかの前記固定座と、の間に少なくとも一つのパネルが取り付けられ、隣り合う前記固定座の間に取付基準面が定義される組合式パネルモジュールの固定座であって、
座体、前記座体の一辺に隣り合う箇所に位置し間隔をあけて複数の嵌合部が設けられる少なくとも一つの第一結合部、及び前記座体の他辺に隣り合う箇所に位置し間隔をあけて複数の嵌合部が設けられる少なくとも一つの第二結合部を有し、
前記嵌合部または前記パネルの少なくとも一方に案内面を有し、取付基準面へ向かう取付方向に沿って、前記パネルが前記嵌合部に取り付けられることを特徴とする組合式パネルモジュールの固定座。
【請求項２】
前記嵌合部は、係合孔或いは孔柱であることを特徴とする請求項１に記載の組合式パネルモジュールの固定座。
【請求項３】
前記第一結合部と、前記第二結合部との間に挿入槽を有することを特徴とする請求項１に記載の組合式パネルモジュールの固定座。
【請求項４】
前記座体は、細長状であり、
複数の前記第一結合部、及び、複数の前記第二結合部が前記座体長手方向に沿って設置され、
前記第一結合部または前記第二結合部の少なくとも一方が滑槽を有し、
前記滑槽は、挿入槽に隣接し、前記座体長手方向に沿って延伸し、
前記パネルは、前記滑槽に沿って移動することを特徴とする請求項３に記載の組合式パネルモジュールの固定座。
【請求項５】
前記第一結合部または前記第二結合部の少なくとも一方は、前記挿入槽を離れた側に補強リブを有することを特徴とする請求項３に記載の組合式パネルモジュールの固定座。
【請求項６】
少なくとも二つの固定座及び少なくとも一つのパネルを備え、
各固定座は、座体、前記座体の一辺に隣り合う箇所に位置し間隔をあけて複数の嵌合部が設けられる少なくとも一つの第一結合部、及び前記座体の他辺に隣り合う箇所に位置し間隔をあけて複数の嵌合部が設けられる少なくとも一つの第二結合部を有し、
前記固定座のうちの１つの第二結合部と、前記固定座のうちの１つに隣り合う前記固定座のうちのもう１つの前記第一結合部と互いに相対し、隙間を隔てて取付基準面が定義され、
前記パネルは、前記固定座のうちの１つの第二結合部と、前記固定座のうちの１つに隣り合う前記固定座のうちのもう１つの前記第一結合部とにそれぞれに接続され、
前記嵌合部または前記パネルの少なくとも一方に案内面を有し、取付基準面へ向かう取付方向に沿って、前記パネルが前記嵌合部に取り付けられることを特徴とする組合式パネルモジュール。
【請求項７】
前記嵌合部は、係合孔或いは孔柱であることを特徴とする請求項６に記載の組合式パネルモジュール。
【請求項８】
前記第一結合部と、前記第二結合部との間に挿入槽を有することを特徴とする請求項６に記載の組合式パネルモジュール。
【請求項９】
前記座体は、細長状であり、
複数の前記第一結合部、及び、複数の前記第二結合部が前記座体長手方向に沿って設置され、
前記第一結合部または前記第二結合部の少なくとも一方が滑槽を有し、
前記滑槽は、挿入槽に隣接し、前記座体長手方向に沿って延伸し、
前記パネルは、前記滑槽に沿って移動することを特徴とする請求項８に記載の組合式パネルモジュール。
【請求項１０】
前記第一結合部または前記第二結合部の少なくとも一方は、前記挿入槽を離れた側に補強リブを有することを特徴とする請求項８に記載の組合式パネルモジュール。
【請求項１１】
複数の前記パネルの隣り合う前記パネルの間に隙間が形成され、
少なくとも一つの装飾条片をさらに備え、
前記装飾条片は、隣り合う前記パネルの間に接続され、前記隙間に対応することを特徴とする請求項６に記載の組合式パネルモジュール。
【請求項１２】
前記装飾条片の断面は、Ｕ形であり、前記第一結合部と前記第二結合部とに対応することを特徴とする請求項１１に記載の組合式パネルモジュール。
【請求項１３】
複数の附属アクセサリをさらに備え、
前記附属アクセサリは、前記挿入槽に挿入され、隣り合う前記パネルの間に形成される隙間に位置することを特徴とする請求項８に記載の組合式パネルモジュール。
【請求項１４】
前記パネルは、結合面を有し、
前記結合面は、複数の第一係合部及び前記第一係合部に相対する複数の第二係合部を有し、
前記第一係合部及び前記第二係合部は、前記嵌合部に係合されることに用いられることを特徴とする請求項６に記載の組合式パネルモジュール。
【請求項１５】
各第一係合部及び各第二係合部は、それぞれ互いに相対し前記嵌合部に穿設される係合リブを有し、
前記第一係合部の係合リブは、第一延伸長さであり、
前記第二係合部の係合リブは、第二延伸長さであり、
前記第一延伸長さは、前記第二延伸長さより長く、
前記第二係合部の係合リブは、前記案内面を有することを特徴とする請求項１４に記載の組合式パネルモジュール。
【請求項１６】
前記パネルは、装飾部を有することを特徴とする請求項６に記載の組合式パネルモジュール。
【請求項１７】
複数の前記固定座、及び、複数の前記パネルを備え、
二つの附属固定座をさらに備え、一つの附属固定座は一端部にある前記パネルと、他の附属固定座は他の端部にある前記パネルに接続されることを特徴とする請求項６に記載の組合式パネルモジュール。
【請求項１８】
結合面を有し、
前記結合面は、複数の第一係合部及び前記第一係合部に相対する複数の第二係合部を有し、
前記第一係合部及び前記第二係合部は、それぞれ互いに相対する係合リブを有し、
前記第一係合部の係合リブは、第一延伸長さであり、
前記第二係合部の係合リブは、第二延伸長さであり、
前記第一延伸長さは、前記第二延伸長さより長く、
前記第二係合部の係合リブは、案内面を有することを特徴とする組合式パネルモジュールのパネル。
【考案の詳細な説明】
【技術分野】
【０００１】
本考案は、組合式パネルモジュール、組合式パネルモジュールの固定座、及び組合式パネルモジュールのパネルに関する。
【背景技術】
【０００２】
一般的な装飾用のパネルは固定式である。
すなわち、施工が完了後に交換、調整したい場合には、再設計、再施工の必要がある。そのため、実施に時間がかかり、不便なうえ、材料の浪費でもある。さらに、パネルを除去するとき、壁面を損傷する可能性もある。
【０００３】
基板、パネル、及び接続部材を備え、パネルが接続部材により基板に取り外し可能に取り付けられ、パネルと基板の間にスペースを隔てるパネルモジュールが、本考案者により特許文献１に開示されている。
【０００４】
また、複数の組立部材を備え、各組立部材が両端を通す滑槽を有し、二つ隣り合う組立部材の間にパネルを取り付けられ、滑槽に搭載部を有するスライド部材を搭載されるパネルモジュールが、本考案者により特許文献２に開示されている。
【先行技術文献】
【特許文献】
【０００５】
【特許文献１】台湾特許第Ｍ３４１７２１号明細書
【特許文献２】台湾特許第Ｍ３７８６７６号明細書
【考案の概要】
【考案が解決しようとする課題】
【０００６】
特許文献１に開示されたパネルモジュールは、基板が大面積であるため、複数のパネルを取り付けられる。しかしながら、大面積の基板は、生産しにくく、材料コストも高く、運搬が困難であり、収納しにくいという欠点がある。
特許文献２に開示されたパネルモジュールは、取り付けに不便である。パネルは、組立部材の側に滑槽を取り付けられなければならないため、側面にバリアがある環境（例えば壁隅）には適していない。
本考案は、上記課題に鑑みて創作されたものであり、その目的は、環境によらず取り付け可能な組合式パネルモジュール、組合式パネルモジュールの固定座、及び組合式パネルモジュールのパネルを提供することにある。
【課題を解決するための手段】
【０００７】
本考案の一実施形態による固定座と、固定座と隙間を隔てて設けられるほかの固定座と、の間に少なくとも一つのパネルが取り付けられ、隣り合う固定座の間に取付基準面が定義される組合式パネルモジュールの固定座であって、
座体、座体の一辺に隣り合う箇所に位置し間隔をあけて複数の嵌合部が設けられる少なくとも一つの第一結合部、及び、座体の他辺に隣り合う箇所に位置し間隔をあけて複数の嵌合部が設けられる少なくとも一つの第二結合部を有する。
嵌合部またはパネルの少なくとも一方に案内面を有し、取付基準面へ向かう取付方向に沿って、パネルが嵌合部に取り付けられる。
【０００８】
本考案によるもう一つの組合式パネルモジュールは、少なくとも二つの固定座及び少なくとも一つのパネルを備える。
各固定座は、座体、座体の一辺に隣り合う箇所に位置し間隔をあけて複数の嵌合部が設けられる少なくとも一つの第一結合部、及び座体の他辺に隣り合う箇所に位置し間隔をあけて複数の嵌合部が設けられる少なくとも一つの第二結合部を有する。
固定座のうちの１つの第二結合部と、固定座のうちの１つに隣り合う固定座のうちのもう１つの第一結合部と互いに相対し、隙間を隔てて、取付基準面が定義される。
パネルは、固定座のうちの１つの第二結合部と、固定座のうちの１つに隣り合う固定座のうちのもう１つの第一結合部とにそれぞれに接続される。
嵌合部またはパネルの少なくとも一方に案内面を有するため、パネルが取付基準面へ向かう取付方向に沿って案内面により嵌合部に取り付けられる。
【０００９】
好ましくは、嵌合部は、係合孔或いは孔柱である。
【００１０】
好ましくは、第一結合部と、第二結合部との間に挿入槽を有する。
【００１１】
好ましくは、座体は、細長状であり、複数の第一結合部、及び、複数の第二結合部が座体長手方向に沿って設置される。
第一結合部または第二結合部の少なくとも一方が滑槽を有する。
滑槽は、挿入槽に隣接し、座体長手方向に沿って延伸する。
パネルは、滑槽に沿って移動される。
【００１２】
好ましくは、第一結合部または第二結合部の少なくとも一方は、挿入槽を離れた側に補強リブを有する。
【００１３】
好ましくは、複数のパネルの隣り合うパネルの間に隙間が形成される。
少なくとも一つの装飾条片をさらに備える。
装飾条片は、隣り合うパネルの間に接続され、隙間に対応する。
【００１４】
好ましくは、装飾条片の断面は、ほぼＵ形であり、第一結合部と第二結合部とに対応する。
【００１５】
複数の附属アクセサリをさらに備え、
附属アクセサリは、挿入槽に挿入され、隣り合うパネルの間に形成される隙間に位置する。
【００１６】
好ましくは、パネルは、結合面を有し、
結合面は、複数の第一係合部及び第一係合部に相対する複数の第二係合部を有し、
第一係合部及び第二係合部は、嵌合部に係合されることに用いられる。
【００１７】
好ましくは、第一係合部及び各第二係合部は、それぞれ互いに相対し嵌合部に穿設される係合リブを有する。
第一係合部の係合リブは、第一延伸長さを有し、
第二係合部の係合リブは、第二延伸長さを有し、
第一延伸長さは、第二延伸長さより長く、
第二係合部の係合リブは、案内面を有する
【００１８】
好ましくは、パネルは、装飾部を有する。
【００１９】
好ましくは、複数の固定座、及び、複数のパネルを備える。
二つの附属固定座をさらに備え、一つの附属固定座は一端部にあるパネルと、他の附属固定座は他の端部にあるパネルに接続される。
【００２０】
本考案によるもう一つの組合式パネルモジュールのパネルは、結合面を有する。
結合面は、複数の第一係合部及び第一係合部に相対する複数の第二係合部を有し、
第一係合部及び第二係合部は、それぞれ互いに相対する係合リブを有し、
第一係合部の係合リブは、第一延伸長さであり、
第二係合部の係合リブは、第二延伸長さであり、
第一延伸長さは、第二延伸長さより長く、
第二係合部の係合リブは、案内面を有する。
【００２１】
従って、以下の効果が達成される。
１、パネルが取付基準面へ向かう取付方向に沿って案内面により案内され嵌合部に取り付けられるため、環境によらず取り付け可能である。
２、パネルを取り付ける機能を有する複数の細長い座体により、運搬が簡単であり、収納しやすく、かつ、材料の節約になる。
３、固定座の第一結合部または第二結合部の少なくとも一方が滑槽を有するため、パネルは滑槽に沿って移動され、取り付けることがさらに簡単になる。
４、第一結合部または第二結合部の少なくとも一方は、挿入槽を離れた側に補強リブを有するため、構造強度が高い。
５、装飾条片が二つ隣り合うパネルの間の隙間Ｓに対応するため、飾られていない壁が外部に露出しないため、全体的な外観の美しさを破壊しない。
６、固定座は複数の第一結合部及び複数の第二結合部を有するため、複数のパネルを取り付けられ、取り付けることに必要な時間も節約できる。
７、パネルは複数の第一係合部及び第一係合部に相対する複数の第二係合部を有する。しかも、第一係合部の係合リブと第二係合部の係合リブとは長さが違うため、パネルがより長い係合リブにより嵌合部に係合し、予備的な位置決めが可能になるので取り付けることがさらに簡単になる。
８、附属固定座をさらに有し、それぞれ位置が一番上のパネルと位置が一番下のパネルとに接続されることに用いられるため、全体的な外観の美しさを破壊しない。
９、装飾条片の断面は、ほぼＵ形であり、第一結合部と第二結合部とに対応し、よりよい接続効果を有する。
１０、複数の附属アクセサリ（例えば、シェルフ、フック、ニューススタンド、ＣＤラック、ハンガー、タオル掛け、バスケット、盆栽、カップホルダーなど）をさらに備えるため、付加価値が高まる。
１１、パネルは装飾部を有し、優れた外観を提供することができる。
【図面の簡単な説明】
【００２２】
【図１】本考案の第一実施形態による組合式パネルモジュールを示す分解模式図である。
【図１Ａ】本考案の第一実施形態による組合式パネルモジュールのパネルを示す側面図である。
【図２】本考案の第一実施形態による組合式パネルモジュールの固定座を示す斜視図である。
【図３】本考案の第一実施形態による組合式パネルモジュールの固定座を示す平面図である。
【図４】本考案の第一実施形態による組合式パネルモジュールの固定座を示す断面図である。
【図５】本考案の第一実施形態による組合式パネルモジュールを示す一断面図であり、パネルが固定座に取り付けられることを示す。
【図６】本考案の第一実施形態による組合式パネルモジュールを示す他の断面図であり、パネルが固定座に取り付けられることを示す。
【図７】本考案の第一実施形態による組合式パネルモジュールの平面図であり、さらに附属固定座をさらに有することを示す。
【図８】本考案の第二実施形態による組合式パネルモジュールを示す斜視図である。
【図８Ａ】本考案の第二実施形態による組合式パネルモジュールのパネルを示す側面図である。
【図９】本考案の第二実施形態による組合式パネルモジュールの断面図であり、パネルが固定座に取り付けられることを示す。
【図１０】本考案の第二実施形態による組合式パネルモジュールの模式図であり、パネルが固定座に相対してスライドすることを示す。
【図１１】本考案の第三実施形態による組合式パネルモジュールを示す斜視図である。
【図１２】本考案の第四実施形態による組合式パネルモジュールを示す分解模式図である。
【図１３Ａ】本考案の第五実施形態による組合式パネルモジュールのパネルが装飾部を提供することを示す一平面図である。
【図１３Ｂ】本考案の第五実施形態による組合式パネルモジュールのパネルが装飾部を提供することを示す他の平面図である。
【図１３Ｃ】本考案の第五実施形態による組合式パネルモジュールのパネルが装飾部を提供することを示す他の平面図である。
【図１４Ａ】本考案の第六実施形態による組合式パネルモジュールのパネルが立体的な装飾部を提供することを示す一平面図である。
【図１４Ｂ】本考案の第六実施形態による組合式パネルモジュールのパネルが立体的な装飾部を提供することを示す他の平面図である。
【図１５】本考案の第七実施形態による組合式パネルモジュールを示す分解模式図である。
【図１６】本考案の第七実施形態による組合式パネルモジュールを示す一断面図であり、パネルが固定座に取り付けられることを示す。
【図１７】本考案の第七実施形態による組合式パネルモジュールを示す他の断面図であり、パネルが固定座に取り付けられることを示す。
【考案を実施するための形態】
【００２３】
（第一実施形態）
図１に、本考案の第一実施形態による組合式パネルモジュールを示す。組合式パネルモジュールは、複数の固定座１及び複数のパネル２を備えることを示す。
各パネル２は、一つの固定座１と、他の固定座１との間に取り付けられる。
本実施形態中では、各固定座１は、違う高さに位置し、より高い位置にある固定座１とより低い位置にある固定座１との間に組立隙間Ｔを隔てる。
各パネル２の両端は、組立隙間Ｔと対応するため、より高い位置にある固定座１とより低い位置にある固定座１との間に取り付けられる。
【００２４】
図２と図３とに基づいて、これら固定座１のうちの１つ固定座１を代表として説明する。
固定座１は、座体１０、複数の第一結合部１１（例えば四つ）、及び複数の第二結合部１２（例えば四つ）を有する。
座体１０は、細長い形状である。本実施形態中では、座体１０は、複数の固定孔１０１を有し、複数の結合部材（例えばねじ部材）により壁に固定される。しかし、この実施形態は本考案を限定するものではなくて、係合や、接着剤により固定されてもよい。
各第一結合部１１及び各第二結合部１２は、座体１０の長手方向に沿って設置される。
各第一結合部１１は、座体１０の長手方向に沿った一辺に隣り合う箇所に位置する。
各第二結合部１２は、座体１０の長手方向に沿った他辺に隣り合う箇所に位置する。
第一結合部１１と、第二結合部１２との間に挿入凹部１３が定義され、第一結合部１１と第二結合部１２の少なくとも一方がスライド凹部１４を有する。
【００２５】
図２と図４とに示すとおり、本実施形態中では、第一結合部１１と第二結合部１２との両方が滑槽１４を有し、滑槽１４が挿入槽１３に隣接し、滑槽１４が座体１０長手方向に沿って延伸する。
第一結合部１１は、複数の嵌合部１１１が間隔をあけて設置される。
第二結合部１２は、複数の嵌合部１２１が間隔をあけて設置される。
嵌合部１１１、１２１は、例えば滑槽１４と連通する孔である。
好ましくは、第一結合部１１または第二結合部１２の少なくとも一方が、挿入槽１３から離れた側に複数の補強リブ１５を有する。
【００２６】
図１と図１Ａとに示すとおり、パネル２は、結合面２０１を有する。
結合面２０１は、複数の第一係合部２１及び第一係合部２１に相対する複数の第二係合部２２を有する。
好ましくは、第一係合部２１も第二係合部２２も互いに相対する係合リブ２１１、２２１を有する。
係合リブ２１１は、嵌合部１１１に穿設されることに用いられる。
係合リブ２２１は、嵌合部１２１に穿設されることに用いられる。
第一係合部２１の係合リブ２１１は、第一延伸長さＬ１を有し、第二係合部２２の係合リブ２２１は、第二延伸長さＬ２を有する。第一延伸長さＬ１は、第二延伸長さＬ２より長い。
【００２７】
図１に示すとおり、本実施形態中では、二つ隣り合うパネル２は、隙間Ｓを有する。
複数の装飾条片３をさらに有し、装飾条片３が二つ隣り合うパネル２の間に接続され、隙間Ｓに対応するため、飾りのない壁は外部に露出せず、全体的な外観の美しさを破壊しない。
【００２８】
図５と図１とに基づいてパネル２の取り付けられる過程を詳しく説明する。
二つの隣り合う固定座１の間に取付基準面Ｐ１が定義される。
パネル２は、固定座１のうちの１つの第二結合部１２と、固定座１のうちの１つに隣り合う固定座１のうちのもう１つの第一結合部１１とそれぞれ相対し、第一係合部２１により予定位置の嵌合部１２１に対応し、第一係合部２１の係合リブ２１１が嵌合部１２１に伸入し、予備的な位置決めを行う。
図５と図６とに示すとおり、パネル２の第二係合部２２の箇所に外力Ｆを加えたとき、第二係合部２２の係合リブ２２１が案内面２２２により第一結合部１１の端縁１１２を越える。例えば、案内面２２２は、係合リブ２２１の端部または第一結合部１１の端縁１１２の少なくとも一方に位置する斜面或いは弧面などから形成される。それによって、パネル２が取付基準面Ｐ１へ向かう取付方向Ｗ１に沿って嵌合部１２１に取り付けられる。
図７に示すとおり、実施には、固定座１は、附属固定座１００、１００’をさらに有する。
主な違いは、附属固定座１００は、第一結合部１１を有するが、第二結合部１２を有しないことにある。
附属固定座１００’は、第二結合部１２を有するが、第一結合部１１を有しないことにある。
それによって、それぞれ位置が一番上のパネル２と位置が一番下のパネル２に接続されることに用いられるため、全体的な外観の美しさを破壊する余計な部分がない。
【００２９】
（第二実施形態）
図８に、本考案の組合式パネルモジュールの第二実施形態を示す。
第二実施形態も固定座１があり、第二実施形態と第一実施形態との差異は、以下のとおりである。
複数の違うパターンのパネル２Ｂ及び装飾条片３Ｂを備える。
装飾条片３Ｂの断面は、ほぼＵ形であり、第一結合部１１と第二結合部１２とに対応するため、よりよい接続効果を提供する。
図８と図８Ａとに基づいて詳しく説明する。
パネル２Ｂも結合面２０１Ｂを有する。
結合面２０１Ｂは、複数の第一係合部２１Ｂ及び第一係合部２１Ｂに相対する複数の第二係合部２２Ｂを有する。
第一係合部２１Ｂは、互いに相対する係合リブ２１１Ｂを有する。
第二係合部２２Ｂは、互いに相対する係合リブ２２１Ｂを有する。
図９に示すとおり、係合リブ２１１Ｂは、第一結合部１１の滑槽１４に対応し、係合リブ２２１Ｂは、第二結合部１２の滑槽１４に対応する。
【００３０】
図９と図１０とに基づいて、パネル２Ｂの取り付けられる過程を詳しく説明する。
係合リブ２１１Ｂは第一結合部１１の滑槽１４に、係合リブ２２１Ｂは第二結合部１２の滑槽１４にスライド可能に配置されるため、滑槽１４に沿って予定位置まで移動でき、摩擦或いは他の方法で定位され、パネル２Ｂを取り付けられる。
また、隣り合うパネル２Ｂの間に組立隙間Ｔがあってもなくてもどちらでもよい。実施形態は限定するものではない。
【００３１】
（第三実施形態）
図１１に、本考案の組合式パネルモジュールの第三実施形態を示す。
第三実施形態も固定座１があり、第三実施形態と第一実施形態との差異は、以下のとおりである。
複数の違うサイズのパネル２Ｃ１、２Ｃ２、２Ｃ３を備える。
例えば、各パネル２Ｃ１、２Ｃ２、２Ｃ３の幅は、一つの第一結合部の長さ、二つの第一結合部の長さ、三つの第一結合部の長さのどちらでもいい。
【００３２】
（第四実施形態）
図１２に、本考案の組合式パネルモジュールの第四実施形態を示す。
第四実施形態も固定座１及びパネル２があり、第四実施形態と第一実施形態との差異は、以下のとおりである。
複数の附属アクセサリ４Ｄ、４Ｅをさらに備える。
例えば、附属アクセサリ４Ｄ、４Ｅは、シェルフやフックなどであり、隣り合うパネル２の間の隙間Ｓに挿入するため、物を配置できる。
しかし、附属アクセサリのパターンはそれだけではない。
異なるニーズに応じて他の附属アクセサリを替えられる（例えば、ニューススタンド、ＣＤラック、ハンガー、タオル掛け、バスケット、盆栽、カップホルダーなど）。隣り合うパネル２の間の隙間Ｓに挿入できれば、どのようなものでもいい。
【００３３】
（第五実施形態）
図１３Ａ、図１３Ｂ及び図１３Ｃに、本考案の組合式パネルモジュールの第五実施形態を示す。
第五実施形態と第一実施形態との差異は、以下のとおりである。
パネル２Ｆ１は、装飾部２３Ｆ１を有する。
パネル２Ｆ２は、装飾部２３Ｆ２を有する。
パネル２Ｆ３は、装飾部２３Ｆ３を有する。
例えば、装飾部２３Ｆ１、２３Ｆ２、２３Ｆ３は、テクスチャパターン、文字（例えばスローガン、広告等）、景色図、人々の図等である。
装飾部２３Ｆ１、２３Ｆ２、２３Ｆ３は互いに関連性があり、より大きいパターンに形成できる。
【００３４】
（第六実施形態）
図１４Ａと図１４Ｂとに、本考案の組合式パネルモジュールの第六実施形態を示す。
第六実施形態と第一実施形態との差異は、以下のとおりである。
各パネル２Ｇ、２Ｈの装飾部２３Ｇ、２３Ｈは、凸状または凹状の立体的なパターンである。
凹状の立体的なパターンは、物（クリアまたは着色ガラス）を埋め込まれるため、さまざまなニーズに合わせる。
【００３５】
（第七実施形態）
図１５と図１６とに、本考案の組合式パネルモジュールの第七実施形態を示す。
第七実施形態も複数の固定座１Ｊ、複数のパネル２Ｊ、及び複数の装飾条片３Ｊを有する。
第七実施形態と第一実施形態との差異は、以下のとおりである。
第一結合部１１Ｊの嵌合部１１１Ｊは、孔柱１１１１Ｊを有する。
第二結合部１２Ｊの嵌合部１２１Ｊは、孔柱１２１１Ｊを有する。
パネル２Ｊは、孔柱１１１１Ｊ、１２１１Ｊに相対する係合柱２４Ｊを有する。
孔柱１１１１Ｊは、係合孔１１１２Ｊ、及び係合孔１１１２Ｊに隣接する内壁面１１１３Ｊを有する。
孔柱１２１１Ｊは、係合孔１２１２Ｊ、及び係合孔１２１２Ｊに隣接する内壁面１２１３Ｊを有する。
内壁面１１１３Ｊ、１２１３Ｊは、案内面とするため、パネル２Ｊの係合柱２４Ｊが取付基準面Ｐ２へ向かう取付方向Ｗ２に沿って係合孔１１１２Ｊ、１２１２Ｊに嵌め込まれる。
図１７に示すとおり、好ましくは、二つの装飾カバー４Ｊをさらに備える。
二つの装飾カバー４Ｊは、それぞれ位置が一番上の固定座１Ｊの第一結合部１１Ｊと位置が一番下の固定座１Ｊの第二結合部１２Ｊに接続されるため、固定座１Ｊの余計な部分を隠蔽する。
【００３６】
実施形態は本考案を限定するものではなく、よって、本考案により保護される範囲は実用新案登録請求の範囲を基準とする。
【符号の説明】
【００３７】
１、１Ｊ  固定座
１０  座体
１００、１００’  附属固定座
１０１  固定孔
１１、１１Ｊ  第一結合部
１１１、１２１、１１１Ｊ、１２１Ｊ  嵌合部
１１１１Ｊ、１２１１Ｊ  孔柱
１１１２Ｊ、１２１２Ｊ  係合孔
１１１３Ｊ、１２１３Ｊ  内壁面
１１２  端縁
１２、１２Ｊ  第二結合部
１３  挿入槽
１４  滑槽
１５  補強リブ
２、２Ｂ、２Ｃ１、２Ｃ２、２Ｃ３、２Ｆ１、２Ｆ２、２Ｆ３、２Ｇ、２Ｈ、２Ｊ  パネル
２０１、２０１Ｂ  結合面
２１、２１Ｂ  第一係合部
２１１、２２１、２１１Ｂ、２２１Ｂ  係合リブ
２２、２２Ｂ  第二係合部
２２２  案内面
２３Ｆ１、２３Ｆ２、２３Ｆ３、２３Ｇ、２３Ｈ  装飾部
２４Ｊ  係合柱
３、３Ｂ、３Ｊ  装飾条片
４Ｊ  装飾カバー
４Ｄ、４Ｅ  附属アクセサリ
Ｌ１  第一延伸長さ
Ｌ２  第二延伸長さ
Ｆ  外力
Ｓ  隙間
Ｐ１、Ｐ２  取付基準面
Ｔ  組立隙間
Ｗ１、Ｗ２  取付方向
【図１】
0003212980.tif 000003
【図１Ａ】
0003212980.tif 000004
【図２】
0003212980.tif 000005
【図３】
0003212980.tif 000006
【図４】
0003212980.tif 000007
【図５】
0003212980.tif 000008
【図６】
0003212980.tif 000009
【図７】
0003212980.tif 000010
【図８】
0003212980.tif 000011
【図８Ａ】
0003212980.tif 000012
【図９】
0003212980.tif 000013
【図１０】
0003212980.tif 000014
【図１１】
0003212980.tif 000015
【図１２】
0003212980.tif 000016
【図１３Ａ】
0003212980.tif 000017
【図１３Ｂ】
0003212980.tif 000018
【図１３Ｃ】
0003212980.tif 000019
【図１４Ａ】
0003212980.tif 000020
【図１４Ｂ】
0003212980.tif 000021
【図１５】
0003212980.tif 000022
【図１６】
0003212980.tif 000023
【図１７】
0003212980.tif 000024